【手続補正書】
【提出日】平成17年12月7日(2005.12.7)
【手続補正１】
【補正対象書類名】明細書
【補正対象項目名】特許請求の範囲
【補正方法】変更
【補正の内容】
【特許請求の範囲】
【請求項１】  安定した酸化臭素化合物を生成する方法であって：
臭化アルカリまたはアルカリ土類金属と、臭素酸アルカリまたはアルカリ土類金属とを水中で混合して、水溶液を提供するステップと、
前記溶液を25℃未満の温度に冷却するステップと、
ハロゲン安定剤を前記溶液に添加するステップであって、ハロゲン安定剤がR-NH2、R-NH-R1、R-SO2-NH2、R-SO2-NHR1、R-CO-NH2、R-CO-NH-R1およびR-CO-NH-CO-R1からなる群より選択され、Rが水酸基、アルキル基または芳香基であり、R1がアルキル基または芳香基であるところのステップとからなる方法。
【請求項２】  ハロゲン安定剤が、サッカリン、ベンゼンスルホンアミド、尿素、チオ尿素、クレアチニン、シアヌル酸、アルキルヒダントイン、モノエタノールアミン、ジエタノールアミン、有機スルホンアミド、ビウレット、スルファミン酸、有機スルファミン酸およびメラミンからなる群から選択され、ハロゲン安定剤が、臭化アルカリまたはアルカリ土類金属および臭素酸アルカリまたはアルカリ土類金属の組み合わされたモル量とほぼ等しいモル量で添加される、請求項1に記載の方法。
【請求項３】  ハロゲン安定剤を添加するステップによって、pHが2未満の溶液が生じる、請求項1に記載の方法。
【請求項４】  ハロゲン安定剤を添加するステップの後に、
5分を超える時間、溶液を撹拌するステップをさらに含む、請求項1に記載の方法。
【請求項５】  ハロゲン安定剤を添加するステップの後に、
溶液のpHを13より高く調整するステップをさらに含む、請求項1に記載の方法。
【請求項６】  臭化アルカリまたはアルカリ土類金属と、臭素酸アルカリまたはアルカリ土類金属とを混合するステップが、臭化アルカリまたはアルカリ土類金属と、臭素酸アルカリまたはアルカリ土類金属とを、臭化：臭素酸アルカリ土類金属のモル比が約2:1で混合することをさらに含む、請求項1に記載の方法。
【請求項７】  臭化アルカリまたはアルカリ土類金属と、臭素酸アルカリまたはアルカリ土類金属とを水中で混合して、水溶液を提供するステップと、
溶液を25℃未満の温度に冷却するステップと、
ハロゲン安定剤を溶液に添加するステップであって、ハロゲン安定剤がR-NH2、R-NH-R1、R-SO2-NH2、R-SO2-NHR1、R-CO-NH2、R-CO-NH-R1およびR-CO-NH-CO-R1からなる群より選択され、Rが水酸基、アルキル基または芳香基であり、R1がアルキル基または芳香基であるステップとによって調製される安定した酸化臭素化合物。
【請求項８】  ハロゲン安定剤が、サッカリン、ベンゼンスルホンアミド、尿素、チオ尿素、クレアチニン、シアヌル酸、アルキルヒダントイン、モノエタノールアミン、ジエタノールアミン、有機スルホンアミド、ビウレット、スルファミン酸、有機スルファミン酸およびメラミンからなる群から選択される、請求項７に記載の安定した酸化臭素化合物。
【請求項９】  生物付着を制御するために酸化剤を添加する工業用水システム、パルプおよび紙加工システム、生成された油田水と接触する装置表面、食品加工システム、飲料加工システム、水再生システムでの生物付着制御の方法において、請求項７に記載の安定した酸化臭素化合物を酸化剤として使用することを含む方法。
【請求項１０】  固い表面を殺菌するため酸化剤を添加する、固い表面の殺菌方法であって、請求項７に記載の安定した酸化臭素化合物を酸化剤として使用することを含む方法。
【請求項１１】  食料品を殺菌するため酸化剤を添加する、食料品を洗浄する方法であって、請求項７に記載の安定した酸化臭素化合物を酸化剤として使用することを含む方法。
【請求項１２】  酸化剤を漂白剤として使用する、汚れた衣類の洗濯およびセルロース材料の製造方法であって、請求項７に記載の安定した酸化臭素化合物を酸化剤として使用することを含む方法。
【請求項１３】  安定した酸化臭素化合物を生成する方法であって、
２モルの臭化アルカリおよびアルカリ土類金属と１モルの臭素酸アルカリおよびアルカリ土類金属とを水中で混合して、水溶液を提供するステップと、
溶液を10℃未満の温度に冷却するステップと、
溶液のpHを2未満に低下させるために、溶液に酸性ハロゲン安定剤を添加するステップであって、酸性ハロゲン安定剤がサッカリン、ベンゼンスルホンアミド、尿素、チオ尿素、クレアチニン、シアヌル酸、アルキルヒダントイン、モノエタノールアミン、ジエタノールアミン、有機スルホンアミド、ビウレット、スルファミン酸、有機スルファミン酸およびメラミンからなる群から選択され、酸性ハロゲン安定剤が、臭化アルカリまたはアルカリ土類金属と、臭素酸アルカリまたはアルカリ土類金属との組み合わされたモル量とほぼ等しいモル量で添加されるステップと、
溶液を5分以上の時間撹拌するステップと、
溶液のpHを13より高くするために、溶液に水酸化アルカリまたはアルカリ土類金属を添加するステップとからなる方法。
【請求項１４】  ２モルの臭化アルカリおよびアルカリ土類金属と、１モルの臭素酸アルカリおよびアルカリ土類金属とを水中で混合して、水溶液を提供するステップと、
溶液を10℃未満の温度に冷却するステップと、
溶液のpHを2未満に低下させるために、溶液に酸性ハロゲン安定剤を添加するステップであって、酸性ハロゲン安定剤がサッカリン、ベンゼンスルホンアミド、尿素、チオ尿素、クレアチニン、シアヌル酸、アルキルヒダントイン、モノエタノールアミン、ジエタノールアミン、有機スルホンアミド、ビウレット、スルファミン酸、有機スルファミン酸およびメラミンからなる群から選択され、酸性ハロゲン安定剤が、臭化アルカリまたはアルカリ土類金属と、臭素酸アルカリまたはアルカリ土類金属との組み合わされたモル量とほぼ等しいモル量で添加されるステップと、
溶液を5分以上の時間撹拌するステップと、
溶液のpHを13より高くするために、溶液に水酸化アルカリまたはアルカリ土類金属を添加するステップと
によって調製される安定した酸化臭素化合物。
【請求項１５】  生物付着を制御するために酸化剤を添加する工業用水システムでの生物付着制御の方法であって、請求項１４に記載の安定した酸化臭素化合物を酸化剤として使用することを含む方法。
【請求項１６】  安定した酸化臭素化合物を生成する方法であって、
ハロゲン安定剤、水および水酸化アルカリまたはアルカリ土類金属からなる腐食性溶液を調製するステップであって、ハロゲン安定剤がR-NH2、R-NH-R1、R-SO2-NH2、R-SO2-NHR1、R-CO-NH2、R-CO-NH-R1およびR-CO-NH-CO-R1からなる群より選択され、Rが水酸基、アルキル基または芳香基であり、R1がアルキル基または芳香基であるところのステップと、
溶液を混合しながら、溶液に臭素または塩化臭素から選択される化合物を添加するステップと、
溶液を冷却するステップとからなる方法。
【請求項１７】  ハロゲン安定剤が、サッカリン、ベンゼンスルホンアミド、尿素、チオ尿素、クレアチニン、シアヌル酸、アルキルヒダントイン、モノエタノールアミン、ジエタノールアミン、有機スルホンアミド、ビウレット、スルファミン酸、有機スルファミン酸およびメラミンからなる群から選択される、請求項１６に記載の方法。
【請求項１８】  臭素の添加後に腐食性溶液のpHが13より高い、請求項１６に記載の方法。
【請求項１９】  臭素化合物を添加するステップが、ハロゲン安定剤のモル量および水酸化アルカリまたはアルカリ土類金属の約半分のモル量とほぼ等しいモル量の前記化合物を添加することを特徴とする、請求項１６に記載の方法。
【請求項２０】  冷却ステップが、溶液を25℃未満の温度に冷却することを特徴とする、請求項１６に記載の方法。
【請求項２１】  臭素含有化合物を添加するステップが、化合物を空気に曝露せずに実施される、請求項１６に記載の方法。
【請求項２２】  臭素または塩化臭素の添加後に、
溶液のpHを13より高くするために、溶液に水酸化アルカリまたはアルカリ土類金属を添加するステップ
をさらに含む、請求項１６に記載の方法。
【請求項２３】  ハロゲン安定剤、水および水酸化アルカリまたはアルカリ土類金属からなる腐食性溶液を調製するステップであって、ハロゲン安定剤がR-NH2、R-NH-R1、R-SO2-NH2、R-SO2-NHR1、R-CO-NH2、R-CO-NH-R1およびR-CO-NH-CO-R1からなる群より選択され、Rが水酸基、アルキル基または芳香基であり、R1がアルキル基または芳香基であるところのステップと、
溶液を混合しながら、溶液に臭素または塩化臭素から選択される化合物を添加するステップと、
溶液を冷却するステップとによって調製される安定した酸化臭素化合物。
【請求項２４】  ハロゲン安定剤が、サッカリン、ベンゼンスルホンアミド、尿素、チオ尿素、クレアチニン、シアヌル酸、アルキルヒダントイン、モノエタノールアミン、ジエタノールアミン、有機スルホンアミド、ビウレット、スルファミン酸、有機スルファミン酸およびメラミンからなる群から選択される、請求項２３に記載の安定した酸化臭素化合物。
【請求項２５】  生物付着を制御するために酸化剤を添加するパルプおよび紙加工システム、生成された油田水と接触する装置表面、食品加工システム、飲料加工システム、水再生システム、工業用水システムでの生物付着制御の方法であって、請求項２３に記載の安定した酸化臭素化合物を酸化剤として使用することを含む方法。
【請求項２６】  固い表面を殺菌するために酸化剤を添加する、固い表面の殺菌方法であって、請求項２３に記載の安定した酸化臭素化合物を酸化剤として使用することを含む方法。
【請求項２７】  食料品を殺菌するために酸化剤を添加する、食料品を洗浄する方法であって、請求項２３に記載の安定した酸化臭素化合物を酸化剤として使用することを含む方法。
【請求項２８】  酸化剤を漂白剤として使用する、汚れた衣類の洗濯およびセルロース材料の製造方法において、請求項２３に記載の安定した酸化臭素化合物を酸化剤として使用することを含む方法。
【請求項２９】  安定した酸化臭素化合物を生成する方法であって、
ハロゲン安定剤、水および水酸化アルカリまたはアルカリ土類金属からなる腐食性溶液を調製するステップであって、ハロゲン安定剤が、サッカリン、ベンゼンスルホンアミド、尿素、チオ尿素、クレアチニン、シアヌル酸、アルキルヒダントイン、モノエタノールアミン、ジエタノールアミン、有機スルホンアミド、ビウレット、スルファミン酸、有機スルファミン酸およびメラミンからなる群から選択されるところのステップと、
臭素または塩化臭素から選択される化合物を、臭素を空気に曝露することなく、ハロゲン化合物のモル量および水酸化アルカリまたはアルカリ土類金属の約半分のモル量とほぼ等しいモル量だけ溶液に加えるステップと、
溶液を混合するステップであって、混合ステップ後の溶液がpHが13より高くなるところのステップと、
溶液を25℃未満の温度に冷却するステップと、
溶液のpHを13より高くするために、溶液に水酸化アルカリまたはアルカリ土類金属を添加するステップと
を含む方法。
【請求項３０】  生物付着を制御するために酸化剤を添加する工業用水システムでの生物付着制御の方法であって、請求項２９に記載の安定した酸化臭素化合物を酸化剤として使用することを含む方法。
【請求項３１】  安定した酸化臭素化合物を水溶液中で生成する方法であって、
水に臭素酸アルカリまたはアルカリ土類金属を溶解させて、溶液を作成するステップと、
ハロゲン安定剤を溶液に添加するステップであって、ハロゲン安定剤がR-NH2、R-NH-R1、R-SO2-NH2、R-SO2-NHR1、R-CO-NH2、R-CO-NH-R1およびR-CO-NH-CO-R1からなる群より選択され、Rが水酸基、アルキル基または芳香基であり、R1がアルキル基または芳香基であるところのステップと、そして、
臭素を前記溶液に添加するステップと
からなる方法。
【請求項３２】  ハロゲン安定剤が、サッカリン、ベンゼンスルホンアミド、尿素、チオ尿素、クレアチニン、シアヌル酸、アルキルヒダントイン、モノエタノールアミン、ジエタノールアミン、有機スルホンアミド、ビウレット、スルファミン酸、有機スルファミン酸およびメラミンからなる群から選択される、請求項３１に記載の方法。
【請求項３３】  臭素添加ステップと同時に行われる、
溶液を25℃未満の温度に冷却するステップ
をさらに含む、請求項３１に記載の方法。
【請求項３４】  水に臭素酸アルカリまたはアルカリ土類金属を溶解させて、溶液を作成するステップと、
ハロゲン安定剤を溶液に添加するステップであって、ハロゲン安定剤がR-NH2、R-NH-R1、R-SO2-NH2、R-SO2-NHR1、R-CO-NH2、R-CO-NH-R1およびR-CO-NH-CO-R1からなる群より選択され、Rが水酸基、アルキル基または芳香基であり、R1がアルキル基または芳香基であるところのステップと
によって調製される安定した酸化臭素化合物。
【請求項３５】  ハロゲン安定剤が、サッカリン、ベンゼンスルホンアミド、尿素、チオ尿素、クレアチニン、シアヌル酸、アルキルヒダントイン、モノエタノールアミン、ジエタノールアミン、有機スルホンアミド、ビウレット、スルファミン酸、有機スルファミン酸およびメラミンからなる群から選択される、請求項３４に記載の安定した酸化臭素化合物。
【請求項３６】  生物付着を制御するために酸化剤を添加する工業用水システム、パルプおよび紙加工システム、生成された油田水と接触する装置表面、食品加工システム、飲料加工システム、水再生システムでの生物付着制御の方法であって、請求項３５に記載の安定した酸化臭素化合物を酸化剤として使用することを含む方法。